(57)【要約】      （修正有）【課題】ゴム紐により形成されるリングの大きさを自由に調整可能で、結束すべき電気コードや通信ケーブル、丸めた用紙、複数本のペン、手帳とペン、携帯端末とイヤホン等の結束対象物の数や大きさ、形状、種類等が各種多様な場合でも、確実に結束できる結束具を提供する。【解決手段】ゴム紐１１を少なくとも２回通すことによって入口側と出口側とにそれぞれゴム紐によるリングを形成可能なゴム紐調整部材１２を備え、ゴム紐調整部材１２は、ゴム紐に対する位置を変えることによって、入口側と出口側とにそれぞれ形成するゴム紐リングの大きさを変えて結束対象物を結束する。【選択図】図１
0003208736.tif 000002
【実用新案登録請求の範囲】
【請求項１】
ゴム紐を少なくとも２回通すことによって前記ゴム紐の入口側と出口側とにそれぞれ前記ゴム紐によるリングを形成可能なゴム紐調整部材を備え、
前記ゴム紐調整部材は、
前記ゴム紐に対する当該ゴム紐調整部材の位置を変えることによって、当該ゴム紐調整部材における前記ゴム紐の入口側と出口側とにそれぞれ形成する前記ゴム紐によるリングの大きさを変えることができるように構成されていることを特徴とする結束具。
【請求項２】
請求項１に記載の結束具において、
前記ゴム紐調整部材は、
前記ゴム紐の外側面同士を押圧して当該ゴム紐調整部材に対し前記ゴム紐をキツく通すゴム紐押圧部を有することを特徴とする結束具。
【請求項３】
請求項２に記載の結束具において、
前記ゴム紐押圧部は、前記ゴム紐調整部材の裏面側または表面側が開放されていて、当該ゴム紐押圧部から前記ゴム紐を着脱自在に構成されている一方、
前記ゴム紐調整部材の中心に対する前記ゴム紐押圧部の反対側には、前記ゴム紐押圧部よりも緩く前記ゴム紐を通す２箇所の前記ゴム紐通し孔が設けられており、当該ゴム紐通し孔には前記ゴム紐が通されており、当該ゴム紐通し孔では当該ゴム紐が着脱できないように構成されていることを特徴とする結束具。
【請求項４】
請求項１〜請求項３のいずれか一の請求項に記載の結束具において、さらに、
前記ゴム紐調整部材は、
平面視、４辺が直線ないしは湾曲し、かつ、４つの角部を有するほぼ４角形であり、
前記ゴム紐押圧部は、当該ゴム紐調整部材の対角線上に設けられている一方、２箇所の前記ゴム紐通し孔は、その対角線の両側の角部よりも前記ゴム紐通し部が設けられた当該ゴム紐調整部材の対角線上の角部に近接して設けられていることを特徴とする結束具。
【請求項５】
請求項１〜請求項４のいずれか一の請求項に記載の結束具において、さらに、
前記ゴム紐が通る貫通孔が設けられ、その貫通孔に前記ゴム紐が通されたエンド部材を備えることを特徴とする結束具。
【請求項６】
請求項５に記載の結束具において、
前記エンド部材は、前記ゴム紐の両端部を結線した結線部に設けられていることを特徴とする結束具。
【考案の詳細な説明】
【技術分野】
【０００１】
本考案は、電気コードや通信ケーブル、丸めた用紙、複数本のペン、手帳とペン、携帯端末とイヤホン等、同一の物または異なる物等の各種多用な結束対象物を結束する結束具に関する。
【背景技術】
【０００２】
従来より、電気コードや通信ケーブル等の結束対象物を結束する結束具が各種提案されており、ゴム紐を使用した結束具として、例えば、任意のサイズの輪ゴムに少なくとも１箇のフックを取り付けてなる結束具がある（例えば、特許文献１参照。）。
【先行技術文献】
【特許文献】
【０００３】
【特許文献１】特開２００２−１０４４９１号公報
【考案の概要】
【考案が解決しようとする課題】
【０００４】
しかし、前記特許文献１に記載の結束具では、任意のサイズの輪ゴムに少なくとも１箇のフックを取り付けて構成されているため、伸びるもののゴム紐（輪ゴム）により形成されるリング（輪っか）の大きさは一定であるので、結束すべき電気コード等の本数が少なかったり、多かったりすると、確実に結束できない場合があった。
【０００５】
特に、結束対象物は、電気コードや通信ケーブルだけでなく、丸めた用紙、複数本のペン、手帳とペン、携帯端末とイヤホン等、同一の物や、異なる物等、大きさや、形状、種類等が様々で多種多様の物が対象となるため、ゴム紐により形成されるリング（輪っか）の大きさを簡単に調整できると、非常に使い勝手か向上する。
【０００６】
そこで、本考案はこのような問題点に鑑みなされたもので、ゴム紐により形成されるリング（輪っか）の大きさを自由に調整可能で、結束すべき電気コードや通信ケーブル、丸めた用紙、複数本のペン、手帳とペン、携帯端末とイヤホン等の結束対象物の数や大きさ、形状、種類等が各種多様な場合でも、ゴム紐により形成されるリング（輪っか）の大きさを簡単に調整して、確実に結束することができる結束具を提供することを目的とする。
【課題を解決するための手段】
【０００７】
前記課題を解決するため、本考案に係る結束具は、リング状に構成されたゴム紐を使用して結束対象物を結束する結束具であって、前記ゴム紐を少なくとも２回通すことによって前記ゴム紐の入口側と出口側とにそれぞれ前記ゴム紐によるリング（輪っか）を形成可能なゴム紐調整部材を備え、前記ゴム紐調整部材は、前記ゴム紐に対する当該ゴム紐調整部材の位置を変えることによって、当該ゴム紐調整部材における前記ゴム紐の入口側と出口側とにそれぞれ形成する前記ゴム紐によるリング（輪っか）の大きさを変えることができるように構成されていることを特徴とする。
ここで、前記ゴム紐調整部材は、前記ゴム紐の外側面同士を押圧して当該ゴム紐調整部材に対し前記ゴム紐をキツく通すゴム紐押圧部を有すると更に良い。
また、前記ゴム紐押圧部は、前記ゴム紐調整部材の裏面側または表面側が開放されていて、当該ゴム紐押圧部から前記ゴム紐を着脱自在に構成されている一方、前記ゴム紐調整部材の中心に対する前記ゴム紐押圧部の反対側には、前記ゴム紐押圧部よりも緩く前記ゴム紐を通す２箇所の前記ゴム紐通し孔が設けられており、当該ゴム紐通し孔には前記ゴム紐が通されており、当該ゴム紐通し孔では当該ゴム紐が着脱できないように構成しても良い。
また、前記ゴム紐調整部材は、平面視、４辺が直線ないしは湾曲し、かつ、４つの角部を有するほぼ４角形であり、前記ゴム紐押圧部は、当該ゴム紐調整部材の対角線上に設けられている一方、２箇所の前記ゴム紐通し孔は、その対角線の両側の角部よりも前記ゴム紐通し部が設けられた当該ゴム紐調整部材の対角線上の角部に近接して設けられているように構成すると更に良い。
また、さらに、前記ゴム紐が通る貫通孔が設けられ、その貫通孔に前記ゴム紐が通されたエンド部材を備えると良い。
また、前記エンド部材は、前記ゴム紐の両端部を結線した結線部に設けられているとさらに良い。
【考案の効果】
【０００８】
本考案に係る結束具では、ゴム紐を少なくとも２回通すことによってゴム紐の入口側と出口側とにそれぞれゴム紐によるリング（輪っか）を形成可能なゴム紐調整部材を備え、ゴム紐調整部材は、ゴム紐に対する当該ゴム紐調整部材の位置を変えることによって、当該ゴム紐調整部材におけるゴム紐の入口側と出口側とにそれぞれ形成するゴム紐によるリング（輪っか）の大きさを変えることができる。
そのため、結束すべき電気コードや通信ケーブル、丸めた用紙、複数本のペン、手帳とペン、携帯端末とイヤホン等の結束対象物の数や大きさ、形状、種類等が各種多様な場合でも、ゴム紐により形成されるリング（輪っか）の大きさを簡単に調整して、確実に結束することができる。
【図面の簡単な説明】
【０００９】
【図１】本考案に係る結束具の正面図である。
【図２】本考案に係る結束具の側面図である。
【図３】図２におけるＡ−Ａ線断面図である。
【図４】本考案に係る結束具の背面図である。
【図５】（ａ），（ｂ）それぞれ本考案に係る結束具の平面図、底面図である。
【図６】（ａ），（ｂ）それぞれ本考案に係る結束具を構成するゴム紐調整部材の拡大底面図、拡大背面図である。
【図７】本考案に係る結束具により結束対象物を結束する方法１（ゴム紐に結束対象物を通した状態）を示す図である。
【図８】本考案に係る結束具により結束対象物を結束する方法１（結束対象物を通しゴム紐を引っ張って結束した状態）を示す図である。
【図９】本考案に係る結束具により結束対象物を結束する方法２（結束対象物の周囲にゴム紐を回した状態）を示す図である。
【図１０】本考案に係る結束具により結束対象物を結束する方法２（ゴム紐を結束対象物の周囲に一周させてゴム紐先端を掛止した状態）を示す図である。
【図１１】本考案に係る結束具により結束対象物を結束する方法２（ゴム紐を結束対象物の周囲に一周させてゴム紐先端を掛止した後、引っ張って結束した状態）を示す図である。
【図１２】本考案に係る結束具により結束対象物を結束する方法３（ゴム紐調整部材とエンドボールとの間隔を最大限離し、ゴム紐調整部材側から１回または複数回巻付けていき、巻付け完了後、エンドボールがゴム紐調整部材を超えるまで引っ張り、ゴム紐の弾性力によってエンドボール近傍のゴム紐をゴム紐調整部材に引っ掛けて結束対象物を結束した状態）を示す図である。
【考案を実施するための形態】
【００１０】
次に、本考案に係る結束具の実施の形態について説明する。
【００１１】
本考案に係る結束具１は、図１および図２に示すように、リング（輪っか）状に構成されたゴム紐１１を使用して電気コードや通信ケーブル、丸めた用紙、複数本のペン、手帳とペン、携帯端末とイヤホン等の結束対象物２を結束するもので、ゴム紐調整部材１２と、エンド部材であるエンドボール１３とから構成される。
【００１２】
＜ゴム紐１１＞
ゴム紐１１は、例えば、ゴムの周囲が繊維で覆われた周知のゴム紐で構成されおり、その前後端部が結合されてリング（輪っか）状に構成されている。なお、結合されてリング（輪っか）状に構成される前に、エンドボール１３の貫通孔１３ａにゴム紐１１が通されている。
【００１３】
＜ゴム紐調整部材１２＞
ゴム紐調整部材１２は、図１〜図５に示すように、ゴム紐１１を少なくとも２回通すことによってゴム紐１１の入口側と出口側とにそれぞれゴム紐１１によるリング（輪っか）を形成するもので、合成樹脂等から構成されており、後述するようにゴム紐１１に対する当該ゴム紐調整部材１２の位置を変えることによって、当該ゴム紐調整部材１２におけるゴム紐１１の入口側（後述するゴム紐通し部１２ｂ，１２ｂ側）と出口側（後述するゴム紐押圧部１２ａ側）とにそれぞれ形成されるゴム紐１１による第１のリング（輪っか）１１ｂと第２のリング（輪っか）１１ｃの大きさを変えることができるように構成されている。
【００１４】
ゴム紐調整部材１２は、平面視、４辺が直線ないしは湾曲し、かつ、４つの角部を有する湾曲したほぼ４角形状に形成されている。
【００１５】
ゴム紐調整部材１２は、その裏側（底面側）に、図６（ａ），（ｂ）に示すように、当該ゴム紐通し部１２ｂ，１２ｂを通るゴム紐１１の外側面同士を押圧して当該ゴム紐調整部材１２に対しゴム紐１１をキツく通すゴム紐押圧部１２ａを有する。
【００１６】
つまり、ゴム紐押圧部１２ａの左右の内側面間の間隔Ｌ１は、ゴム紐１１の外径Ｒの２倍以下として、ゴム紐調整部材１２によってゴム紐１１をキツくして締め付けるように構成している。
【００１７】
そして、ゴム紐押圧部１２ａの左右両側の下側には、それぞれ、凸部１２ａ１，１２ａ１が設けられており、その凸部１２ａ１，１２ａ１間の間隔Ｌ２は、ゴム紐押圧部１２ａの左右の内側面間の間隔Ｌ１より小さく、ほぼゴム紐１１の外径Ｒに構成して、凸部１２ａ１，１２ａ１の間からゴム紐１１が１本であれば簡単にゴム紐押圧部１２ａからゴム紐１１を容易に取外せるが、ゴム紐１１が２本の場合には、ゴム紐押圧部１２ａからゴム紐１１を容易に取外せないように構成している。
【００１８】
また、ゴム紐調整部材１２の中心に対するゴム紐押圧部１２ａの反対側には、図６（ｂ）等に示すように、ゴム紐押圧部１２ａよりも緩くゴム紐１１を通す２箇所のゴム紐通し部１２ｂ，１２ｂが設けられており、当該ゴム紐通し部１２ｂ，１２ｂではゴム紐１１を通しているためゴム紐１１を取外せないように構成されている。
【００１９】
ゴム紐通し部１２ｂ，１２ｂは、当該ゴム紐調整部材１２の対角線上に設けられている一方、その対角線の両側の角部よりもゴム紐通し部１２ｂ，１２ｂが設けられた当該ゴム紐調整部材１２の対角線上の角部に近接して設けられている。
【００２０】
＜エンドボール１３＞
エンドボール１３は、ゴム紐１１が通る貫通孔１３ａが設けられ、その貫通孔１３ａにゴム紐１１が通されるように構成されている。
【００２１】
エンドボール１３は、ゴム紐１１の両端部を結線した結線部の結線金具１１ａを覆うように設けられている。
【００２２】
次に、以上のように構成された実施形態の結束具１の使用例１，２について説明する。尚、以下の説明では、結束対象物２として、丸めた用紙を一例に説明するが、結束対象物２はこれに限定されるものではなく、電気コードや通信ケーブル、複数本のペン、手帳とペン、携帯端末とイヤホン等、数や大きさ、形状、種類等が各種多様な場合でも結束可能なものは全て対象となる。
【００２３】
＜実施形態の結束具１の使用例１＞
図７および図８は、実施形態に係る結束具１により結束対象物２である丸めた用紙を結束する場合の使用例１を示す図である。
【００２４】
使用例１の場合、まず、図７に示すように、結束具１のゴム紐１１によって形成される第１のリング（輪っか）１１ｂに、丸めた用紙を通し、その後、図８に示すように、ゴム紐調整部材１２に対しエンドボール１３を引っ張って、ゴム紐調整部材１２からエンドボール１３側へゴム紐１１を引き出し、エンドボール１３側の第２のリング（輪っか）１１ｃの大きさを大きくして、丸めた用紙を結束している第１のリング（輪っか）１１ｂの大きさを小さくする。
【００２５】
そのため、使用例１によって、実施形態に係る結束具１を使用して簡単に丸めた用紙を結束することができる。
【００２６】
＜実施形態の結束具１の使用例２＞
【００２７】
図９〜図１１は、実施形態に係る結束具１により結束対象物２である丸めた用紙を結束する場合の使用例２を示す図である。
【００２８】
使用例２の場合、まず、図９に示すように、結束具１のエンドボール１３側とは反対側に形成される第１のリング（輪っか）１１ｂ側のゴム紐１１を纏め、丸めた用紙の周囲を回して、その後、図１０に示すように、第１のリング（輪っか）１１ｂ側のゴム紐１１先端に、エンドボール１３およびゴム紐調整部材１２を通す。
【００２９】
その際、ゴム紐調整部材１２では、２箇所のゴム紐通し部１２ｂ，１２ｂは、当該ゴム紐調整部材１２の対角線上に設けられている一方、その対角線の両側の角部よりもゴム紐通し部１２ｂ，１２ｂが設けられた当該ゴム紐調整部材１２の対角線上の角部に近接して設けられているため、図１０に示すように、第１のリング（輪っか）１１ｂ側のゴム紐１１先端をゴム紐調整部材１２に通した後は、ゴム紐１１の弾力性とも相まって、ゴム紐調整部材１２から第１のリング（輪っか）１１ｂ側のゴム紐１１先端が外れ難くすることができる。
【００３０】
そして最後は、使用例１の場合と同様、図１１に示すように、ゴム紐調整部材１２に対しエンドボール１３を引っ張って、ゴム紐調整部材１２からエンドボール１３側へゴム紐１１を引き出し、エンドボール１３側の第２のリング（輪っか）１１ｃの大きさを大きくして、丸めた用紙の周囲を回している第１のリング（輪っか）１１ｂ側のゴム紐１１の長さを短くする。
【００３１】
そのため、使用例２によっても、実施形態に係る結束具１を使用して簡単に丸めた用紙を結束することができる。
【００３２】
特に、使用例２では、結束対象物２の周囲を２本のゴム紐１１で一周して結束するため、１本のゴム紐１１が結束対象物２の周囲を一周する使用例１の場合よりも、より強力に結束対象物２を結束することができる。
【００３３】
尚、結束対象物２が電気コードや通信ケーブル、筆記具等の場合で、その本数が少なかったり、細い場合は、使用例２の応用例として、結束対象物２の周囲を２本のゴム紐１１で二周や、三周以上回して結束するようにしても良い。
【００３４】
＜実施形態の結束具１の使用例３＞
【００３５】
図１２は、実施形態に係る結束具１により結束対象物２である丸めた用紙を結束する場合の使用例３を示す図である。
【００３６】
使用例３の場合、例えば、ゴム紐調整部材１２をエンドボール１３とは反対方向に引っ張ってゴム紐調整部材１２とエンドボール１３との間隔を最大限離して、結束対象物２の外周にゴム紐調整部材１２を先にして結束具１を１回または複数回巻付けていく。尚、図１２では、２回ほど巻付けているが、２回に限定されるものではない。また、この使用例３では、ゴム紐調整部材１２とエンドボール１３との間隔を最大限離すため、エンドボール１３側の第２のリング（輪っか）１１ｃの大きさは最大になる一方、エンドボール１３と反対側の第１のリング（輪っか）１１ｂの大きさはほぼ０となる。
【００３７】
そして巻付け完了後は、エンドボール１３をつまんで引っ張り、図１２に示すように、ゴム紐１１の弾性力によってエンドボール１３近傍のゴム紐１１をゴム紐調整部材１２に引っ掛けて結束対象物２を結束する。
【００３８】
＜実施形態の結束具１の効果＞
以上説明したように、実施形態の結束具１は、ゴム紐１１を少なくとも２回通すことによってゴム紐１１の入口側（ゴム紐通し部１２ｂ，１２ｂ側）と出口側（ゴム紐押圧部１２ａ側）とにそれぞれゴム紐１１による第１のリング（輪っか）１１ｂと第２のリング（輪っか）１１ｃを形成可能なゴム紐調整部材１２を備え、ゴム紐調整部材１２は、ゴム紐１１に対する当該ゴム紐調整部材１２の位置を変えることによって、当該ゴム紐調整部材１２におけるその第１のリング（輪っか）１１ｂと第２のリング（輪っか）１１ｃの大きさを変えることができるため、結束すべき電気コードや通信ケーブル、丸めた用紙、複数本のペン、手帳とペン、携帯端末とイヤホン等の結束対象物２の数や大きさ、形状、種類等が各種多様な場合でも、ゴム紐１１により形成されるリング（輪っか）の大きさを簡単に調整して、確実に結束することができる。
【００３９】
特に、実施形態の結束具１では、ゴム紐調整部材１２は、当該ゴム紐通し部１２ｂ，１２ｂを通るゴム紐１１の外側面同士を押圧して当該ゴム紐調整部材１２に対しゴム紐１１をキツく通すゴム紐押圧部１２ａを設けているため、当該ゴム紐調整部材１２におけるゴム紐１１の入口側と出口側とにそれぞれ形成するゴム紐１１による第１のリング（輪っか）１１ｂと第２のリング（輪っか）１１ｃの大きさを任意に調整して固定することができるので、使い勝手が向上し、結束作業が容易となる。
【００４０】
また、実施形態の結束具１では、ゴム紐押圧部１２ａは、ゴム紐調整部材１２の裏面側が開放されていて、当該ゴム紐押圧部１２ａからゴム紐１１を着脱自在に構成されている一方、ゴム紐調整部材１２の中心に対するゴム紐押圧部１２ａの反対側には、ゴム紐押圧部１２ａよりも緩くゴム紐１１を通す２箇所のゴム紐通し部１２ｂ，１２ｂが設けられており、当該ゴム紐通し部１２ｂ，１２ｂではゴム紐１１を着脱禁止に構成している。
【００４１】
そのため、結束作業者は、例えば、ゴム紐調整部材１２におけるゴム紐１１の入口側と出口側とにそれぞれ形成するゴム紐１１による２つのリング（輪っか）である第１のリング（輪っか）１１ｂと第２のリング（輪っか）１１ｃの大きさを任意に調整する際は、ゴム紐１１をゴム紐押圧部１２ａから外してゴム紐通し部１２ｂ，１２ｂの入口側と出口側の長さを変更して２つのリング（輪っか）の大きさを任意に調整できる一方、調整後に２つのリング（輪っか）の大きさを固定する際は、ゴム紐１１をゴム紐押圧部１２ａに嵌めてゴム紐１１の外側面同士を強く挟んで押圧することにより固定することも可能となり、ゴム紐１１による２つのリング（輪っか）の大きさの調整および固定作業がとても容易かつ確実になり、使い勝手が向上し、結束作業が容易となる。
【００４２】
また、実施形態の結束具１では、ゴム紐調整部材１２は、平面視、４辺が直線ないしは湾曲し、かつ、４つの角部を有する湾曲したほぼ４角形状に形成され、ゴム紐通し部１２ｂ，１２ｂは、当該ゴム紐調整部材１２の対角線上に設けられている一方、２箇所のゴム紐通し部１２ｂ，１２ｂは、ゴム紐通し部１２ｂ，１２ｂが設けられた当該ゴム紐調整部材１２の対角線に直交する対角線上の角部よりもゴム紐通し部１２ｂ，１２ｂが設けられた当該ゴム紐調整部材１２の対角線上の角部に近接して設けられている。
【００４３】
そのため、結束すべき電気コードや通信ケーブル、丸めた用紙、複数本のペン、手帳とペン、携帯端末とイヤホン等の結束対象物２を結束する際、例えば、エンドボール１３側の余ったゴム紐１１によるリング（輪っか）を結束対象物２の周囲に巻き付けた後、そのゴム紐１１先端をゴム紐調整部材１２に引っ掛けることが容易となるので、この点でも使い勝手が向上し、結束作業が容易となる。
【００４４】
また、さらに、実施形態の結束具１では、ゴム紐１１をエンドボール１３に通しているため、最後に第２のリング（輪っか）１２ｃ側のゴム紐１１を引っ張って結束対象物２を締め付ける際、エンドボール１３を掴めば良いため、この点でも使い勝手が向上し、結束作業が容易となる。
【００４５】
また、エンドボール１３は、ゴム紐１１の両端部を結線した結線金具１１ａの周囲に設け、結線金具１１ａがエンドボール１３によって隠れるようにしたので、使い勝手だけでなく、美観等も向上させることができる。
【００４６】
尚、上記実施形態の説明では、ゴム紐調整部材１２は、平面視、４辺が直線ないしは湾曲し、かつ、４つの角部を有するほぼ正方形のもので説明したが、本考案では、ゴム紐調整部材の形状は、実施形態の形状に限定されず、平面視、円形状や、楕円形状、三角形、五角形、6角形等の多角形でも良いし、さらにはハート形や星形、リボンの形状、キャラクタの形状等でも良いし、シンプルに平面視長方形の棒状のゴム紐調整部材でも良い。
【００４７】
また、上記実施形態の説明では、結束具１は、ゴム紐１１の長さが約２０ｃｍ前後のものを使用して、ゴム紐調整部材１２およびエンドボール１３を通した後、両端部を結線金具１１ａにより連結してリング（輪っか）状に構成してゴム紐１１がショートタイプの結束具１で説明したが、本発明では、ゴム紐１１の長さには限定されず、例えば、ゴム紐１１の長さが約４０ｃｍ前後のものを使用してゴム紐１１がミドルタイプの結束具１を構成しても良いし、さらにはゴム紐１１の長さが約６０ｃｍ前後のものを使用してロングタイプの結束具１を構成しても良い。
【符号の説明】
【００４８】
１  結束具
１１  ゴム紐
１１ａ  結線金具
１２  ゴム紐調整部材
１２ａ  ゴム紐押圧部
１２ａ１，１２ａ１  凸部
１２ｂ，１２ｂ  ゴム紐通し部
１３  エンドボール（エンド部材）
２  結束対象物
【図１】
0003208736.tif 000003
【図２】
0003208736.tif 000004
【図３】
0003208736.tif 000005
【図４】
0003208736.tif 000006
【図５】
0003208736.tif 000007
【図６】
0003208736.tif 000008
【図７】
0003208736.tif 000009
【図８】
0003208736.tif 000010
【図９】
0003208736.tif 000011
【図１０】
0003208736.tif 000012
【図１１】
0003208736.tif 000013
【図１２】
0003208736.tif 000014
【手続補正書】
【提出日】平成28年11月17日(2016.11.17)
【手続補正１】
【補正対象書類名】実用新案登録請求の範囲
【補正対象項目名】全文
【補正方法】変更
【補正の内容】
【実用新案登録請求の範囲】
【請求項１】
ゴム紐を少なくとも２回通すことによって前記ゴム紐の入口側と出口側とにそれぞれ前記ゴム紐によるリングを形成可能なゴム紐調整部材を備え、
前記ゴム紐調整部材は、
前記ゴム紐に対する当該ゴム紐調整部材の位置を変えることによって、当該ゴム紐調整部材における前記ゴム紐の入口側と出口側とにそれぞれ形成する前記ゴム紐によるリングの大きさを変えることができるように構成されていることを特徴とする結束具。
【請求項２】
請求項１に記載の結束具において、
前記ゴム紐調整部材は、
前記ゴム紐の外側面同士を押圧して当該ゴム紐調整部材に対し前記ゴム紐をキツく通すゴム紐押圧部を有することを特徴とする結束具。
【請求項３】
請求項２に記載の結束具において、
前記ゴム紐押圧部は、前記ゴム紐調整部材の裏面側または表面側が開放されていて、当該ゴム紐押圧部から前記ゴム紐を着脱自在に構成されている一方、
前記ゴム紐調整部材の中心に対する前記ゴム紐押圧部の反対側には、前記ゴム紐押圧部よりも緩く前記ゴム紐を通す２箇所のゴム紐通し部が設けられており、当該ゴム紐通し部に前記ゴム紐が通されることによって当該ゴム紐通し部から当該ゴム紐が着脱できないように構成されていることを特徴とする結束具。
【請求項４】
請求項３に記載の結束具において、さらに、
前記ゴム紐調整部材は、
平面視、４辺が直線ないしは湾曲し、かつ、４つの角部を有するほぼ４角形であり、
前記ゴム紐押圧部は、当該ゴム紐調整部材の対角線上に設けられている一方、２箇所の前記ゴム紐通し部は、その対角線の両側の角部よりも前記ゴム紐押圧部が設けられた当該ゴム紐調整部材の対角線上の角部に近接して設けられていることを特徴とする結束具。
【請求項５】
請求項１〜請求項４のいずれか一の請求項に記載の結束具において、さらに、
前記ゴム紐が通る貫通孔が設けられ、その貫通孔に前記ゴム紐が通されたエンド部材を備えることを特徴とする結束具。
【請求項６】
請求項５に記載の結束具において、
前記エンド部材は、前記ゴム紐の両端部を結線した結線部に設けられていることを特徴とする結束具。
【手続補正２】
【補正対象書類名】明細書
【補正対象項目名】０００７
【補正方法】変更
【補正の内容】
【０００７】
前記課題を解決するため、本考案に係る結束具は、リング状に構成されたゴム紐を使用して結束対象物を結束する結束具であって、前記ゴム紐を少なくとも２回通すことによって前記ゴム紐の入口側と出口側とにそれぞれ前記ゴム紐によるリング（輪っか）を形成可能なゴム紐調整部材を備え、前記ゴム紐調整部材は、前記ゴム紐に対する当該ゴム紐調整部材の位置を変えることによって、当該ゴム紐調整部材における前記ゴム紐の入口側と出口側とにそれぞれ形成する前記ゴム紐によるリング（輪っか）の大きさを変えることができるように構成されていることを特徴とする。
ここで、前記ゴム紐調整部材は、前記ゴム紐の外側面同士を押圧して当該ゴム紐調整部材に対し前記ゴム紐をキツく通すゴム紐押圧部を有すると更に良い。
また、前記ゴム紐押圧部は、前記ゴム紐調整部材の裏面側または表面側が開放されていて、当該ゴム紐押圧部から前記ゴム紐を着脱自在に構成されている一方、前記ゴム紐調整部材の中心に対する前記ゴム紐押圧部の反対側には、前記ゴム紐押圧部よりも緩く前記ゴム紐を通す２箇所のゴム紐通し部が設けられており、当該ゴム紐通し部に前記ゴム紐が通されることによって当該ゴム紐通し部から当該ゴム紐が着脱できないように構成しても良い。
また、前記ゴム紐調整部材は、平面視、４辺が直線ないしは湾曲し、かつ、４つの角部を有するほぼ４角形であり、前記ゴム紐押圧部は、当該ゴム紐調整部材の対角線上に設けられている一方、２箇所の前記ゴム紐通し部は、その対角線の両側の角部よりも前記ゴム紐押圧部が設けられた当該ゴム紐調整部材の対角線上の角部に近接して設けられているように構成すると更に良い。
また、さらに、前記ゴム紐が通る貫通孔が設けられ、その貫通孔に前記ゴム紐が通されたエンド部材を備えると良い。
また、前記エンド部材は、前記ゴム紐の両端部を結線した結線部に設けられているとさらに良い。